(57)【特許請求の範囲】
【請求項１】
日焼け防止用マスクであって、
マスク本体と、その両端が前記マスク本体に固定された装着用紐とを備えており、
前記マスク本体が所定位置に装着された状態において、前記装着用紐が、装着者の両耳に係止可能な位置、および顎に係止可能な位置に設けられており、
前記マスク本体は、前記装着用紐が通過する通路を形成するループ部を２つ備えており、
前記装着用紐のうち前記ループ部を通過する部分の長さは、当該日焼け防止用マスクの装着時と非装着時とで一定である、日焼け防止用マスク。
【請求項２】
前記装着用紐は、２つの前記ループ部を通過した状態で前記マスク本体の固定部に固定されており、前記ループ部により耳紐部と顎紐部とに分けられている請求項１に記載の日焼け防止用マスク。
【請求項３】
２つの前記ループ部はいずれも、前記マスク本体が装着された状態において、前記固定部よりも顎に近い位置に設けられている請求項２に記載の日焼け防止用マスク。
【請求項４】
２つの前記ループ部の間に設けられた、前記装着用紐の長さを調整する調整部材を備えている請求項２または３に記載の日焼け防止用マスク。
【請求項５】
前記装着用紐の一部または全部が弾性体で構成されている請求項１〜４のいずれか１項に記載の日焼け防止用マスク。
【請求項６】
前記マスク本体は、その上端にトンネル部を備えており、前記装着用紐は、前記トンネル部に挿入された状態で、前記トンネル部内の前記固定部により前記マスク本体に固定されている請求項２に記載の日焼け防止用マスク。
【請求項７】
前記通路は直線状である、請求項１〜６のいずれか１項に記載の日焼け防止用マスク。
【請求項８】
マスク本体と、その両端が前記マスク本体に固定され、一部または全部が弾性体で構成されている装着用紐とを備えており、
前記マスク本体が所定位置に装着された状態において、前記装着用紐が、装着者の両耳に係止可能な位置、および顎に係止可能な位置に設けられており、
前記マスク本体は、その上端にトンネル部を備えており、前記装着用紐は、前記トンネル部に挿入された状態で、前記トンネル部内の固定部で前記マスク本体に固定されており、
前記装着用紐は、前記トンネル部に挿入された部分が前記弾性体であり、
前記弾性体の各端部が前記トンネル部内の２つの前記固定部で固定されることによって、２つの前記固定部間にひだ部が形成されている、日焼け防止用マスク。
【請求項９】
前記マスク本体にダーツ部が設けられている、請求項１〜８の何れか１項に記載の日焼け防止用マスク。
【発明の詳細な説明】
【技術分野】
【０００１】
本発明は、日常生活、スポーツ、農作業、造園、園芸、庭造り等において、顔や首を紫外線から防ぐために用いられる日焼け防止用マスクに関する。
【背景技術】
【０００２】
従来、農作業等の際、作業者の顔や首を保護するためにマスクが用いられている。近年、紫外線から肌を守ることを主な目的とする、鼻から口元を包囲して紫外線を防ぐ日焼け防止用マスクが提案されている（例えば、特許文献１〜２）。
特許文献１には、マスク本体を２枚の布で構成することにより、スリットから容易に呼吸可能にし、鼻の部分にひだ部（ギャザー）を設けることによって鼻への圧迫を軽減するとともに、鼻への引っ掛かりを良くしてずれ落ちない形状とした日焼け防止用マスクが記載されている。
特許文献２には、マスク本体の下端と顎布の固定されていない部分によって正面開口部を形成することにより、風邪用マスクとは違って息苦しさが無く呼吸がしやすい日焼け防止用マスクが記載されている。
【先行技術文献】
【特許文献】
【０００３】
【特許文献１】特開２００９−２４７８４１号公報
【特許文献２】実用新案登録第３１９６６２７号公報
【発明の概要】
【発明が解決しようとする課題】
【０００４】
特許文献１、２に記載の発明、考案はいずれも、息苦しさの改善を目的としたものであり、マスク本体を所定位置に装着する手段しては、風邪用のマスク同様、マスク本体の両側に設けられた２つの耳紐部を用いている。
本発明は、マスク本体を所定位置に装着する手段として、従来用いられていなかった顎紐部を備えることにより、装着者が息苦しくなることなく、快適かつ安定的にマスク本体を所定位置に保持し、日焼けを防止することができる日焼け防止用マスクの提供を目的とする。
【課題を解決するための手段】
【０００５】
本発明の日焼け防止用マスクは、上記課題を解決するための手段として、以下の構成を備えている。
（１）マスク本体と、その両端が前記マスク本体に固定された装着用紐とを備えており、前記マスク本体が装着された状態において、前記装着用紐が装着者の両耳に係止可能な位置、および顎に係止可能な位置に設けられており、前記マスク本体は、前記装着用紐が通過する通路を形成するループ部を２つ備えており、前記装着用紐のうち前記ループ部を通過する部分の長さは、当該日焼け防止用マスクの装着時と非装着時とで一定である。
（２）前記装着用紐は、２つの前記ループ部を通過した状態で前記マスク本体の固定部に固定されており、前記ループ部により耳紐部と顎紐部とに分けられている上記（１）に記載の日焼け防止用マスク。
（３）２つの前記ループ部はいずれも、前記マスク本体が装着された状態において、前記固定部よりも顎に近い位置に設けられている上記（２）に記載の日焼け防止用マスク。
（４）２つの前記ループ部の間に設けられた、前記装着用紐の長さを調整する調整部材を備えている上記（２）または（３）に記載の日焼け防止用マスク。
【０００６】
（５）前記装着用紐の一部または全部が弾性体で構成されている上記（１）〜（４）のいずれか１項に記載の日焼け防止用マスク。
（６）前記マスク本体は、その上端にトンネル部を備えており、前記装着用紐は、前記トンネル部に挿入された状態で、前記トンネル部内の前記固定部により前記マスク本体に固定されている上記（２）に記載の日焼け防止用マスク。
（７）前記通路は直線状である上記（１）〜（６）のいずれか１項に記載の日焼け防止用マスク。
（８）マスク本体と、その両端が前記マスク本体に固定され、一部または全部が弾性体で構成されている装着用紐とを備えており、前記マスク本体が所定位置に装着された状態において、前記装着用紐が、装着者の両耳に係止可能な位置、および顎に係止可能な位置に設けられており、前記マスク本体は、その上端にトンネル部を備えており、前記装着用紐は、前記トンネル部に挿入された状態で、前記トンネル部内の固定部で前記マスク本体に固定されており、前記装着用紐は、前記トンネル部に挿入された部分が前記弾性体であり、前記弾性体の各端部が前記トンネル部内の２つの前記固定部で固定されることによって、２つの前記固定部間にひだ部が形成されている、日焼け防止用マスク。
（９）前記マスク本体にダーツ部が設けられている（１）〜（８）のいずれか１項に記載の日焼け防止用マスク。
【発明の効果】
【０００７】
本発明によれば、マスク本体を所定位置に装着する装着用紐が両耳および顎に係止可能な位置に設けられていることにより、装着者が息苦しくなることなく、より快適かつ安定的にマスク本体を所定位置に保持して、日焼けを防止することができる。
【図面の簡単な説明】
【０００８】
【図１】本発明の実施形態にかかる日焼け防止用マスクを平面に置いた状態の概略を示す背面図である。
【図２】本発明の実施形態にかかる日焼け防止用マスクを着用した状態を示す正面図である。
【図３】本発明の実施形態にかかる日焼け防止用マスクを着用した状態を示す側面図である。
【図４】本発明の実施形態にかかる他の日焼け防止用マスクを平面に置いた状態の概略を示す背面図である。
【図５】図１のトンネル部を拡大した部分背面図である。
【図６】トンネル部の調整部により、マスク本体の幅を狭くした状態を示す部分背面図である。
【発明を実施するための形態】
【０００９】
以下、本発明の実施形態について、図面を参照して説明する。
図１は、本発明の実施形態にかかる日焼け防止用マスク（以下「マスク」という。）を平面に置いた状態の概略を示す背面図である。図２および図３は、本発明の実施形態にかかるマスクの着用状態を示す正面図および側面図である。図１〜３に示すように、本実施形態にかかるマスク１は、マスク本体１０と装着用紐２０とを備えており、装着用紐２０を用いて、装着者２の顔の所定位置に装着される。なお、本実施形態では、マスク１が装着された際、装着者２の顔と接しない側をマスク本体１０の正面とし、装着者２の顔に接する側をマスク本体１０の背面とする。
【００１０】
マスク本体１０は、装着時に装着者２の顔を鼻から顎４にかけて覆う布である。装着用紐２０は、マスク本体１０を所定位置に装着するために用いられる。マスク本体１０には、装着時に上側となる縁近辺に、中空のトンネル部１１を備えている。マスク本体１０のトンネル部１１に、装着用紐２０の２つの端２１・２１が挿入されている。装着用紐２０は、２つの端２１・２１がそれぞれトンネル部１１に挿入されている状態で、固定部１２Ａ・１２Ｂにおいて、マスク本体１０に固定されている。
【００１１】
図１に示すように、マスク本体１０の背面（裏面）には、２つのループ部１３・１３が設けられている。これら２つのループ部１３・１３はいずれも、マスク本体１０の固定部１２Ａ・１２Ｂよりも、装着時に顎４の近くになる位置（トンネル部１１とは反対側）に設けられている。装着用紐２０は、２つのループ部１３・１３を通過した状態で、固定部１２Ａ・１２Ｂにおいて、マスク本体１０に固定されている。この構成によって、固定部１２Ａとループ部１３との間の部分が耳紐部２０Ａとなり、２つのループ部１３間の装着用紐２０が顎紐部２０Ｂとなる。
【００１２】
上述した構成により、装着用紐２０が耳紐部２０Ａおよび顎紐部２０Ｂとして機能する。このため、図２および図３に示すように、装着者２の耳３・３および顎４に、装着用紐２０（耳紐部２０Ａおよび顎紐部２０Ｂ）を引掛けて（係止して）、マスク本体１０を保持することが可能となる。マスク本体１０を装着する際、装着者２の耳３・３のみではなく、顎４をも用いることにより、マスク本体１０を安定的に所定位置に保持することができる。また、装着用紐２０を耳３のみに引掛ける場合よりも、装着用紐２０に加わる力が分散するから、装着時の快適性も向上する。
【００１３】
図３に示すように、顎４に装着用紐２０（顎紐部２０Ｂ）を引掛けても、マスク本体１０の下方（顎４側）が装着用紐２０によって締め付けられることはない。このため、装着者２が息をするための隙間５はそのまま維持される。したがって、顎４に装着用紐２０を引掛ける構成により、マスク１を装着した状態における息のしやすさを低下させることなく、装着感および安定性を向上させることができる。
【００１４】
また、本実施形態のマスク１の装着用紐２０は、マスク本体１０のループ部１３を通過して移動可能に構成されている。この構成により、装着用紐２０のうち、耳３に引掛ける耳紐部２０Ａとして用いられる部分と、顎４に引掛ける顎紐部２０Ｂとして用いられる部分の比率を変化させることができる。したがって、装着者２毎に異なる耳３・３や顎４の位置や、好みに応じて、装着状態を調整することができる。また、例えば、耳紐部２０Ａの長さが長い状態で耳３・３に掛けた後、顎紐部２０Ｂを引き出して顎４に引掛けて装着することができるから、耳３・３のみに引掛ける装着用紐２０を備えたマスク１よりも、円滑な装着が可能である。
【００１５】
なお、本実施形態のマスク１は、マスク本体１０のループ部１３により、装着用紐２０の耳紐部２０Ａとして機能する部分と、顎紐部２０Ｂとして機能する部分に分ける構成としている。しかし、装着用紐２０に占める耳紐部２０Ａと顎紐部２０Ｂとに分ける（規定する）手段は、図１に示した、マスク本体１０に付加されたループ部１３に限られない。
【００１６】
例えば、図４に示すように、マスク本体１０に、装着用紐２０が通過可能な孔１４Ａ・１４Ｂを設け、当該孔１４Ａ・１４Ｂによって、装着用紐２０の耳紐部２０Ａと顎紐部２０Ｂとに分ける構成としてもよい。この場合、孔１４Ａ・１４Ｂがループ部１３に相当する。この構成によれば、ループ部１３同様、装着用紐２０の耳紐部２０Ａと顎紐部２０Ｂとの長さを調整して、円滑に装着することが可能である。ただし、図１、図４のように、耳紐部２０Ａと顎紐部２０Ｂとの長さを変化可能な構成としないで、装着用紐２０の一部をマスク本体１０に固定して、長さが固定された耳紐部２０Ａと顎紐部２０Ｂとを構成してもよい。また、耳紐部２０Ａと顎紐部２０Ｂとを別体の装着用紐２０を用いて構成しても良い。
【００１７】
本実施形態の装着用紐２０は、その全部が伸縮可能なゴム紐により構成されたものを用いている。これにより、装着用紐２０全体が伸縮するから、マスク１の着用が容易かつ快適なものとなる。ただし、装着用紐２０は、一部に伸縮可能な部分を備えていれば、全体として伸縮可能となる。このため、全部が伸縮可能な構成ではなく、一部を伸縮可能な構成としても良い。
【００１８】
図１および図４に示すように、装着用紐２０には、その長さを調整する調整部材２２が２つのループ部１３間の顎紐部２０Ｂに設けられている。これにより、装着用紐２０自体の長さを変化させることができるから、装着がより容易になって快適性が向上する。また、例えば、マスク１を装着する際には、装着用紐２０を長くしておき、装着用紐２０を耳３および顎４に引掛けた後に、装着用紐２０を短くすることで、マスク１をしっかりと装着することが容易である。
【００１９】
なお、装着用紐２０は調整部材２２を備えているから、装着用紐２０を伸縮可能に構成しなくとも、装着の操作および調整が容易である。例えば、装着に適した十分な長さとしてマスク１を装着した後に、装着用紐２０を短くして、しっかり締めることにより、マスク本体１０を所定位置に快適かつ安定的に固定することができる。
【００２０】
調整部材２２としては、例えば、コードストッパー等を用いることができる。装着用紐２０を長さ方向の中点２０ｃ付近で折り曲げて調整部材２２（コードストッパー）に挿入して通過させる側の長さＬを変化させることにより、装着用紐２０の長さを変えることができる。調整部材２２は、２つのループ部１３の間に設けられているから、装着者２は、調整部材２２の位置を変化させて、簡単に装着用紐２０の長さを変えることができる。なお、本実施形態において、装着用紐２０の長さとは、耳紐部２０Ａまたは顎紐部２０Ｂとして用いられる部分の長さをいう。したがって、上記装着用紐２０の長さには、調整部材２２よりも中点２０ｃ側の装着用紐２０の部分の長さＬが含まれない
【００２１】
図１および図４に示すように、マスク本体１０は、その上端にトンネル部１１を備えており、装着用紐２０の両端２１・２１は、それぞれトンネル部１１の両側から挿入された状態でマスク本体１０の固定部１２Ａ・１２Ｂに固定されている。両側の固定部１２Ｂ・１２Ｂ間には、装着用紐２０が挿入されていない。本実施形態では、連続した一つのトンネル部１１の両側から装着用紐２０が挿入された構成としたが、連続した一つのトンネル部１１の代わりに、マスク本体１０の両脇それぞれにトンネル部１１が形成された構成としてもよい。
【００２２】
図５は、装着用紐２０がトンネル部１１に挿入された状態で、マスク本体１０に固定された状態を示す、図１の部分拡大図である。本実施形態の装着用紐２０は、全体が弾性体で構成されている。そして、各トンネル部１１において、固定部１２Ａ（第１固定部）および固定部１２Ｂ（第２固定部）の２か所で、装着用紐２０に対して各トンネル部１１が余裕をもって固定された状態、すなわち、力を加えて装着用紐（弾性体）２０を伸ばした状態でトンネル部１１に固定されている。これにより、装着用紐（弾性体）２０に力が加えられていない通常状態では、２か所の固定部１２Ａと固定部１２Ｂとの間にひだ部１５が形成される。ひだ部１５が形成けられることにより、マスク本体１０が立体的になり、着用感が向上する。なお、装着用紐２０として、全部が弾性体からなるものではなく、一部に弾性体を備えたものを用いる場合、弾性体の部分をトンネル部１１に位置させれば、上述したひだ部１５を形成できる。
【００２３】
図６は、図５のマスク本体１０の幅を微調整した状態を示す部分拡大図である。同図に示すように、トンネル部１１における固定部１２Ａよりも挿入口（マスク本体１０の横側）に近い部分は、移動可能な調整部１６となっている。このため、調整部１６にひだを作ることにより、マスク本体１０の幅が小さくなる。すなわち、調整部１６にひだを作ることにより（図６参照）、調整部１６にひだが作られていない状態（図５参照）と比較して、マスク本体１０を狭くすることができる。このように、マスク本体１０は、調整部１６を用いて幅を調整することが可能である。
【００２４】
マスク本体１０の下側には、２つのダーツ部１７・１７が設けられている。布にひだをとってつまんで縫い合わせたダーツ部１７を設けることにより、マスク本体１０がより立体的になる。したがって、装着時における呼吸のしやすさを良好にすることができる。
【００２５】
マスク１のマスク本体１０を構成する素材は一般に用いられているものを用いることができる。例えば、遮光性を備えるとともに、通気性および伸縮性のある布等を用いることができる。各部を構成する布は一枚で用いても複数の布が重ねあわされたものを用いても良い。また、装着用紐２０を構成する素材は一般に用いられているものを用いることができるが、ゴム紐などの弾力性を備えた素材が好ましい。
【産業上の利用可能性】
【００２６】
本発明は、日常生活、スポーツ、農作業、造園、園芸、庭造り等において、顔や首を紫外線から防ぐために用いられる日除け防止用マスクとして用いることができる。
【符号の説明】
【００２７】
１、５１  マスク
２  装着者
３  耳
４  顎
１０  マスク本体
１１  トンネル部
１２Ａ、１２Ｂ  固定部
１３  ループ部
１４Ａ・１４Ｂ  孔（ループ部）
１５  ひだ部
１６  調整部
１７  ダーツ部
２０  装着用紐
２０Ａ  耳紐
２０Ｂ  顎紐
２１  端
２２  調整部材
【図１】
0006668035.tif 000002
【図２】
0006668035.tif 000003
【図３】
0006668035.tif 000004
【図４】
0006668035.tif 000005
【図５】
0006668035.tif 000006
【図６】
0006668035.tif 000007